(57)【特許請求の範囲】
【請求項１】
ラッセル編組織で編成され、平行に配設された少なくとも二つの帯状部位Ａ，Ａと、該二つの帯状部位Ａ，Ａを繋ぐ挿入糸のみからなるロープ挿通孔形成用部位Ｂ，Ｂ，・・・とを具備し、該ロープ挿通孔形成用部位Ｂ，Ｂ，・・・は、所定の間隔を置いて配設されており、各ロープ挿通孔形成用部位Ｂを構成している挿入糸として、２００〜６００デニールのモノフィラメントを複数本引き揃えて撚りを施した下撚糸を、複数本用いて上撚を施した撚糸が用いられていることを特徴とするシート類の接続具。
【請求項２】
撚糸は、下撚糸を２〜３本用いて上撚を施したものである請求項１記載のシート類の接続具。
【請求項３】
下撚の撚回数は２０〜４０回／ｍであり、上撚の撚回数は４０〜８０回／ｍである請求項１又は２記載のシート類の接続具。
【請求項４】
上撚の撚回数が、下撚の撚回数の１．５倍以上である請求項１又は２記載のシート類の接続具。
【請求項５】
上撚がＺ撚で下撚がＳ撚である請求項１乃至４のいずれか一項に記載のシート類の接続具。
【請求項６】
帯状部位Ａを構成している鎖編糸及び挿入糸として、１０００〜１５００デニールのモノフィラメント糸が用いられている請求項１乃至５のいずれか一項に記載のシート類の接続具。
【請求項７】
帯状部位Ａを構成している鎖編糸及び挿入糸として、１０００〜１５００デニールのモノフィラメント糸が、複数本引き揃えられてなる引き揃え糸が用いられている請求項６記載のシート類の接続具。
【請求項８】
請求項１乃至７のいずれか一項に記載の接続具が、シート類の少なくとも一辺に縫着されてなる接続具付きシート類であって、該接続具は帯状部位Ａ，Ａが重合するように、かつ、シート類の端縁を挟むようにして二つ折りにされると共に、ミシン縫い等によって該シート類の端縁に該帯状部位Ａ，Ａが縫着され、該接続具のロープ挿通孔形成用部位Ｂ，Ｂ，・・・は、該接続具が二つ折りにされたことにより、略円筒状のロープ挿通孔が該シート類の端縁外方に形成されている接続具付きシート類。
【発明の詳細な説明】
【技術分野】
【０００１】
本発明は、建設工事現場で使用する塗装ネット、防炎シート、防音シート、防塵シート、安全ネット、メッシュシート等の建築工事用シートに代表されるシート類の接続具に関するものである。
【背景技術】
【０００２】
従来より、落下物等による危害防止、塗料や塵埃等の飛散防止又は騒音等の漏れ防止のため、工事現場の周囲に、複数枚の建築工事用シートが平面方向に接続されて張設されている。この接続は、建築工事用シートの各辺に鳩目を設け、この鳩目にロープを挿通することによって行われている。
【０００３】
鳩目は、建築工事用シートの端部に孔を開け、この孔の内周を金具で補強したものである。したがって、編織物を素材とする建築工事用シートの場合、この孔の箇所で構成繊維が切断されており、孔近傍における強度が低下するという問題点があった。また、鳩目に挿通されたロープに強い力が負荷すると、金具が外れるということもあった。
【０００４】
このため、建築工事用シートの素材である編物の端部に、ラッセル編組織を採用して孔を設け、この孔を鳩目の代わりに使用することが提案されている（特許文献１）。また、建築工事用シートに別途取り付ける鳩目部材として、編織物を素材とするもので、編織組織によって、鳩目の代わりとなる孔を設けたものも提案されている（特許文献２）。
【０００５】
【特許文献１】特開平４−２０９２６８号公報（第１頁、特許請求の範囲）
【特許文献２】特開２００１−２２７１２４公報（第２頁、特許請求の範囲及び段落番号００１３）
【発明の開示】
【発明が解決しようとする課題】
【０００６】
特許文献１及び２に記載されたものは、金具を用いることなく、編織組織によって鳩目を設けるものであるため、孔の箇所で構成繊維が切断することがない。したがって、孔近傍における強度低下を防止しうるものである。また、金具を用いていないため、金具が外れるということも防止しうるものである。
【０００７】
しかしながら、鳩目を用いてシート類を接続すると、鳩目の存在しない箇所では、どうしても隙間が生じる。特に、シート類に高張力が負荷された場合には、鳩目の存在しない箇所に大きな空間が生じるということがあった。これは、シート類が鳩目の部分でのみ接続しており、鳩目の存在しない箇所では接続されていないからである。そして、このような隙間や空間が生じると、そこから落下物等が飛び出したり、塗料，騒音，塵埃等が飛散する或いは漏れ出るということがあった。
【０００８】
そこで、本発明は、シート類の端縁の概ね全てが接続され、落下物，塗料，騒音，塵埃等が建設工事現場の外へ飛び出たり漏れ出たりすることを防止しうる接続具を提供することを課題とするものである。
【０００９】
シート類の端縁の概ね全てを接続するためには、以下のようにすればよいと考えられる。すなわち、図１に示すように、シート類１，１の各端縁に略円筒状のロープ挿通孔２，２，・・・を設け、各シート類１，１の各ロープ挿通孔２，２，・・・を噛み合わせる。そして、略円筒状のロープ挿通孔２，２，・・・の中空に、ロープ３を挿通する。このようにすれば、シート類１，１の各端縁の概ね全てが接続されることになり、シート類１，１に過大な張力が負荷されても、接続部に空隙や空間が生じにくく、落下物や塗料等が建設工事現場の外へ飛び出したり、漏れ出したりするのを防止しうる。
【００１０】
しかしながら、シート類は一般的に編織物を素材とするものであるから、ロープ挿通孔２，２，・・・も編織物を素材とする必要がある。なぜなら、ロープ挿通孔２，２，・・・を金物で作成すると、シート類と同等の柔軟性を持たないため、シート類となじみが悪く、取り扱いにくく、しかも脱落しやすいからである。このため、ロープ挿通孔２，２，・・・を編織物で作成するしなければならないが、編織物で作成すると、中空が潰れやすくなり、略円筒状になりにくく、ロープ３を挿通しにくいということがあった。
【課題を解決するための手段】
【００１１】
そこで、本発明は、特定の組織のラッセル編を採用すると共に、ロープ挿通孔が形成される部位を、特定の糸よりなる挿入糸で構成することにより、略円筒状の形態を良好に保持するようにしたものである。
【００１２】
すなわち、本発明は、ラッセル編組織で編成され、平行に配設された少なくとも二つの帯状部位Ａ，Ａと、該二つの帯状部位Ａ，Ａを繋ぐ挿入糸のみからなるロープ挿通孔形成用部位Ｂ，Ｂ，・・・とを具備し、該ロープ挿通孔形成用部位Ｂ，Ｂ，・・・は、所定の間隔を置いて配設されており、各ロープ挿通孔形成用部位Ｂを構成している挿入糸として、２００〜６００デニールのモノフィラメントを複数本引き揃えて撚りを施した下撚糸を、複数本用いて上撚を施した撚糸が用いられていることを特徴とするシート類の接続具に関するものである。
【００１３】
本発明に係る接続具は、図２に示すように、少なくとも二つの帯状部位Ａ，Ａを具備している。帯状部位Ａは、鎖編糸４と挿入糸５とで、任意のラッセル編組織で編成されている。鎖編糸４及び挿入糸５としては、どのような糸条を用いても差し支えないが、好ましくは、１０００〜１５００デニールのモノフィラメント糸を用いるのがよい。特に、１０００〜１５００デニールのモノフィラメント糸が、複数本、たとえば２〜３本、引き揃えられてなる引き揃え糸を用いるのが、より好ましい。モノフィラメント糸の素材としては、ポリエチレン、ポリプロピレン、ポリエステル等を用いることができる。
【００１４】
帯状部位Ａ，Ａは、平行に配設されており、両者間がロープ挿通孔形成用部位Ｂ，Ｂ，・・・で繋がれている。そして、ロープ挿通孔形成用部位Ｂ，Ｂ，・・・は、挿入糸６で形成されている。ロープ挿通孔形成用部位Ｂ，Ｂ，・・・は、所定の間隔を置いて配設されている。たとえば、ラッセル編組織の十数コースの間隔を置いて、ロープ挿通孔形成用部位Ｂが配設されている。ロープ挿通孔形成用部位Ｂは、ラッセル編組織の数コース〜十数コースにおいて挿入糸６が挿入されて設けられている。ロープ挿通孔形成用部位Ｂが形成されているコース数と、これが形成されていないコース数（ロープ挿通孔形成用部位Ｂ，Ｂの間隔となるコース数）とは、後者の方のコース数を少し多めにするのが好ましい。この理由は、後述するように、二枚のシート類１，１に設けられたロープ挿通孔２同士が噛み合うようにして使用されるからである（図１及び図４）。つまり、一つのシート類１のロープ挿通孔２が形成されていない箇所に、他のシート類１のロープ挿通孔２が嵌め込まれるからである。
【００１５】
本発明において特徴的なことは、挿入糸６として特定の撚糸が用いられていることである。この特定の撚糸を用いることによって、ロープ挿通孔形成用部位Ｂで形態保持性の良好な略円筒状のロープ挿通孔が形成されるのである。すなわち、挿入糸６として無撚糸を用いて、ロープ挿通孔を形成した場合、略円筒状の形態を保持しにくくなり、潰れやすくなるので好ましくない。この理由は定かではないが、挿入糸６を撚糸とすると、トルクが負荷されるため、挿入糸６自体の剛性が高くなるためであると考えられる。撚りが掛けられていないと、挿入糸６にトルクが負荷されず、挿入糸の素材自体の剛性しか期待できないからであると考えられるのである。
【００１６】
挿入糸６に用いるフィラメントは、２００〜６００デニールのモノフィラメントである。この程度の繊度であると、比較的剛性も高いし、撚りもかけやすい。挿入糸６として用いられる特定の撚糸は、以下のとおりである。すなわち、２００〜６００デニールのモノフィラメントを複数本用いて、これに下撚を掛けて下撚糸を得る。次いで、下撚糸を複数本用いて、これに上撚を掛けて撚糸とするのである。このようにすることによって、特定の撚糸は高剛性となり、形態保持性の良好な略円筒状のロープ挿通孔を形成しうるのである。
【００１７】
特定の撚糸に掛けられる撚回数は、任意であるが、一般的には１０〜１００回／ｍ程度である。下撚と上撚との撚回数は、下撚が２０〜４０回／ｍ程度であり、上撚は４０〜８０回／ｍ程度であるのが好ましい。上撚の撚回数を下撚に比べて多くする方が、高剛性を実現しやすく、上撚の撚回数を下撚の撚回数の１．５倍以上にすると、より高剛性が実現しやすくなり、最も好ましい。
【００１８】
また、上撚と下撚に掛けられる撚方向はＳ撚でもＺ撚でもよい。たとえば、上撚及び下撚共にＳ撚又はＺ撚でもよいし、上撚がＺ撚で下撚がＳ撚であるか、又は上撚がＳ撚で下撚がＺ撚であってもよい。要するに、撚回数及び撚の方向を適宜決定して、挿入糸６に高剛性を付与しうる撚であれば、どのようなものであってもよい。
【００１９】
本発明に係る接続具は、前述したように、平行に配設された二つの帯状部位Ａ，Ａと、この帯状部位Ａ，Ａを繋ぐ挿入糸のみからなるロープ挿通孔形成用部位Ｂ，Ｂ，・・・とを具備したものであるが、この使用方法は、以下のとおりである。すなわち、図２に示したような接続具の縦中心線を基準にして、二つ折りにする。そうすると、挿入糸６は高剛性の撚糸で形成されているため、挿入糸６のみで構成されたロープ挿通孔形成用部位Ｂは、略円筒状のロープ挿通孔２になる。また、帯状部位Ａ，Ａは、お互いに重合する。重合した帯状部位Ａ，Ａの間に、シート類１の端縁を挟んで、ミシン縫い等によって縫着する。そうすると、シート類１の端縁に帯状部位Ａ，Ａが縫着されて取り付けられると共に、シート類１の端縁から外方に延出したロープ挿通孔２が形成される。
【００２０】
以上の方法によって、シート類１の端縁の外方に、略円筒状のロープ挿通孔２が形成された接続具付きシート類が得られる。この接続具付きシート類を二枚用いて、図４に示すように、ロープ挿通孔２同士が噛み合うようにして対向される。そして、各ロープ挿通孔２同士を噛み合わせた後、略円筒状のロープ挿通孔２の中空にロープ３を挿入すれば、二枚の接続具付きシート類が接続されるのである。この結果、図１に示すような状態で、二枚のシート類が接続される。
【発明の効果】
【００２１】
本発明に係る接続具を用いてシート類が接続された場合、図１に示すような状態となる。すなわち、二枚のシート類のロープ挿通孔同士は、お互いに噛み合った状態で、接続される。ロープ挿通孔は、シート類の辺方向に中空の孔が開いているのであり、この孔にロープが挿通されて、各シート類が接続される。したがって、各シート類の端縁の概ね全てが接続されることになり、シート類に過大な張力が負荷されても、鳩目によって接続した場合に比べて、接続部に空隙や空間が生じにくいという作用を生じる。よって、本発明に係る接続具を用いて、シート類を接続して、建設工事現場等で用いれば、落下物，塗料，騒音，塵埃等が建設工事現場の外へ飛び出たり漏れ出たりすることを防止しうるという効果を奏する。
【実施例】
【００２２】
以下の糸条を準備した。
［帯状部位に用いる鎖編糸４］
繊度１２００デニールのポリエチレンモノフィラメント糸を２本、引き揃えてなる引き揃え糸を、帯状部位に用いる鎖編糸４とした。
［帯状部位に用いる挿入糸５］
繊度１２００デニールのポリエチレンモノフィラメント糸を３本、引き揃えてなる引き揃え糸を、帯状部位に用いる挿入糸５とした。
［ロープ挿通孔形成用部位に用いる挿入糸６］
繊度４００デニールのポリエチレンモノフィラメントを９本用い、これに３２回／ｍの下撚（撚り方向はＳ撚）を掛けて下撚糸を得た。そして、下撚糸を２本用い、これに６０回／ｍの上撚（撚り方向はＺ撚）を掛けて、撚糸を得た。この撚糸を、ロープ挿通孔形成用部位に用いる挿入糸６とした。
【００２３】
以上の鎖編糸４、挿入糸５及び挿入糸６を用いて、図３に示すラッセル編組織で、二つの帯状部位Ａ，Ａと、帯状部位Ａ，Ａを繋ぐ挿入糸６のみからなるロープ挿通孔形成用部位Ｂ，Ｂ，・・・とを具備するシート類の接続具を得た。なお、図３に示したように、ロープ挿通孔形成用部位Ｂは１４コースで設けられており、ロープ挿通孔形成用部位Ｂ，Ｂ間の間隔は１６コースである。
【００２４】
このシート類の接続具を、縦中央線で二つ折りにして、帯状部位Ａ，Ａで塗装用ネット（ラッセル編ネット）の端縁を挟んで、ミシン縫いで縫着した。シート類の接続具は、縦中央線で二つ折りにすることによって、自動的に、ロープ挿通孔形成用部位Ｂ，Ｂ，・・・で略円筒状のロープ挿通孔が形成できた。そして、このロープ挿通孔は、略円筒状の形態を良好に保持するものであり、したがって、円筒の中空部にロープの挿通しやすいものであった。
【図面の簡単な説明】
【００２５】
【図１】本発明の一例に係るシート類の接続具を用いて、二枚のシート類を接続させた状態を示した平面図である。
【図２】本発明の一例に係るシート類の接続具の平面図（平面写真様の平面図）である。
【図３】図２に示したシート類の接続具のラッセル編組織を示したものである。
【図４】本発明の一例に係るシート類の接続具を、二枚のシート類の各辺に縫着し、縫着した接続具が対向している状態を示した平面図である。
【符号の説明】
【００２６】
１    シート類
２    ロープ挿通孔
３    ロープ
４    帯状部位Ａに用いる鎖編糸４
５    帯状部位Ａに用いる挿入糸
６    ロープ挿通孔形成用部位Ｂに用いる挿入糸６
【図１】
0004731282.tif 000002
【図２】
0004731282.tif 000003
【図３】
0004731282.tif 000004
【図４】
0004731282.tif 000005